(57)【要約】      （修正有）【課題】女性が乳房のセルフチェックを行うのに便利な手持ち型乳腺検査器を提供する。【解決手段】手持ち型乳腺検査器は、棒状の検査器本体１と、検査器本体１の先端に一体に設けられている光源プローブ２とを備えており、前記光源プローブ２はその先端に設けられているレンズ２０１と、レンズ２０１内側に設けられているＬＥＤ光源とを備えており、前記レンズ２０１の外側面にはＬＥＤ光源を制御するための接触型センサが設けられている。光源プローブ２の先端のレンズ２０１が接触すると、レンズ２０１上の接触型センサがＬＥＤ光源を点灯するように制御する。ＬＥＤ光源は好ましくは赤色ＬＥＤ光源とされる。さらに、前記手持ち型乳腺検査器は、前記検査器本体内に設けられ、前記接触型センサおよびＬＥＤ光源がそれぞれ接続されているプロセッサモジュールをさらに備えている。【選択図】図１
0003180406.tif 000002
【実用新案登録請求の範囲】
【請求項１】
棒状の検査器本体（１）と、前記検査器本体（１）の先端に一体に設けられている光源プローブ（２）とを備えており、前記光源プローブ（２）は前記光源プローブ（２）の先端に設けられているレンズ（２０１）と、レンズ（２０１）内側に設けられているＬＥＤ光源（２０２）とを備えており、前記レンズ（２０１）の外側面にはＬＥＤ光源（２０２）を制御するための接触型センサ（２０３）が設けられており、
前記手持ち型乳腺検査器は、前記検査器本体（１）内に設けられ、前記接触型センサ（２０３）およびＬＥＤ光源（２０２）がそれぞれ接続されているプロセッサモジュール（１０１）をさらに備えている、ことを特徴とする手持ち型乳腺検査器。
【請求項２】
前記手持ち型乳腺検査器は、前記検査器本体（１）の後端に設けられ、プロセッサモジュール（１０１）に接続されている電源モジュール（３）をさらに備えている、ことを特徴とする請求項１に記載の手持ち型乳腺検査器。
【請求項３】
前記電源モジュール（３）は蓄電装置（３０１）と、充電器に接続するための充電ソケットが設けられている充電装置（３０２）とを備えており、
対応するように、前記検査器本体（１）の後端には開口と、前記開口に一致するエンドキャップ（３０３）とがさらに設けられており、前記開口は前記充電ソケットに対応して設けられている、ことを特徴とする請求項２に記載の手持ち型乳腺検査器。
【請求項４】
前記検査器本体（１）の外側面には前記プロセッサモジュール（１０１）に接続されているコントロールボタン（１０２）がさらに設けられており、前記コントロールボタン（１０２）はスイッチボタンとＬＥＤ光源光強度調節ボタンとを備えている、ことを特徴とする請求項３に記載の手持ち型乳腺検査器。
【請求項５】
前記検査器本体（１）の外側面には、前記ＬＥＤ光源（２０２）の光強度レベル、蓄電量および前回の検査日を表示するためのディスプレイ（１０３）が設けられており、前記ディスプレイ（１０３）は前記プロセッサモジュール（１０１）に接続されている、ことを特徴とする請求項４に記載の手持ち型乳腺検査器。
【請求項６】
前記検査器本体（１）の外側面には滑り止め（１０４）が設けられている、ことを特徴とする請求項１に記載の手持ち型乳腺検査器。
【請求項７】
前記光源プローブ（２）が一方側に湾曲している、ことを特徴とする請求項１ないし６の何れか一項に記載の手持ち型乳腺検査器。
【請求項８】
前記ＬＥＤ光源（２０２）が赤色ＬＥＤ光源である、ことを特徴とする請求項１ないし６の何れか一項に記載の手持ち型乳腺検査器。
【考案の詳細な説明】
【技術分野】
【０００１】
本考案は家庭医療用の検査装置に関し、さらに具体的に言えば、手持ち型乳腺検査器に関する。
【背景技術】
【０００２】
乳ガンは世界的に最も多いガンであり、女性一万人中にて４人が生涯の間に乳ガンとして診断される。乳ガンの治療率は向上しており、２０世紀の７０年代の５０％に比べて、現在は８０％にまで向上している。病変は早期発見が非常に重要であって、乳ガンＩ期の治療率は９０％にまで達し、乳ガンＩＶ期の１０％を遥かに超える。
【考案の概要】
【考案が解決しようとする課題】
【０００３】
しかし、女性の乳房へのセルフチェックの意識はまだ低く、３０％の女性のみが規則的に乳房の検診を行っているに止まり、４０％の女性のみが正確な乳房検診方法を重視しているに止まる。しかも既存の装置では、女性が乳房のセルフチェックを行うには不便であった。
【０００４】
本考案が解決すべき技術的課題は、従来技術における欠陥について、女性が乳房のセルフチェックを行うのに便利な手持ち型乳腺検査器を提供するところにある。
【課題を解決するための手段】
【０００５】
本考案がその技術的課題を解決するのに採用する技術的思想は次のとおりである。棒状の検査器本体と、前記検査器本体の先端に一体に設けられている光源プローブとを備えており、前記光源プローブは前記光源プローブの先端に設けられているレンズと、レンズ内側に設けられているＬＥＤ光源とを備えており、前記レンズの外側面にはＬＥＤ光源を制御するための接触型センサが設けられている。
【０００６】
前記手持ち型乳腺検査器は、前記検査器本体内に設けられ、前記接触型センサおよびＬＥＤ光源がそれぞれ接続されているプロセッサモジュールをさらに備えている。
【０００７】
本考案の前記手持ち型乳腺検査器において、前記検査器本体の後端に設けられ、プロセッサモジュールに接続されている電源モジュールをさらに備えている。
【０００８】
本考案の前記手持ち型乳腺検査器において、前記電源モジュールは蓄電装置と、充電器に接続するための充電ソケットが設けられている充電装置とを備えている。
【０００９】
対応するように、前記検査器本体の後端には開口と、前記開口に一致するエンドキャップとがさらに設けられており、前記開口は前記充電ソケットに対応して設けられている。
【００１０】
本考案の前記手持ち型乳腺検査器において、前記検査器本体の外側面には前記プロセッサモジュールに接続されているコントロールボタンがさらに設けられている。前記コントロールボタンはスイッチボタンとＬＥＤ光源光強度調節ボタンとを備えている。
【００１１】
本考案の前記手持ち型乳腺検査器において、前記検査器本体の外側面には、前記ＬＥＤ光源の光強度レベル、蓄電量および前回の検査日を表示するためのディスプレイが設けられており、前記ディスプレイは前記プロセッサモジュールに接続されている。
【００１２】
本考案の前記手持ち型乳腺検査器において、前記検査器本体の外側面には滑り止めが設けられている。
【００１３】
本考案の前記手持ち型乳腺検査器において、前記光源プローブが一方側に湾曲している。
【００１４】
本考案の前記手持ち型乳腺検査器において、前記ＬＥＤ光源が赤色ＬＥＤ光源である。
【考案の効果】
【００１５】
本考案の手持ち型乳腺検査器は以下のような有益な効果を備えている。本考案の手持ち型乳腺検査器は構造が簡単でコンパクトで、使用に便利で、家庭でも乳房のセルフチェックを行うことで、すぐさま病変を発見することができる。使用に際しては、暗い環境で光源プローブを乳房の表面に接触させて、ＬＥＤ光源で乳房を照明することで、使用者は乳房内部の血管、組織などを視認することができる。
【図面の簡単な説明】
【００１６】
【図１】本考案の手持ち型乳腺検査器の構造概略図。
【図２】本考案の手持ち型乳腺検査器の一実施例に係る原理ブロック図。
【図３】本考案の手持ち型乳腺検査器の好ましい実施例に係る原理ブロック図。
【考案を実施するための形態】
【００１７】
以下に、図面および実施例を合せて本考案に詳細な説明を行う。
【００１８】
本考案の目的、技術的手法および長所をより明確にするために、図面および実施例を合せて、本考案により詳細な説明を行う。理解されるべきは、ここで記載する具体的な実施例は単に本考案を説明するためのものであって、本考案を限定するのに用いるものではない、ということである。
【００１９】
本考案の手持ち型乳腺検査器は、棒状の検査器本体１と、検査器本体１の先端に一体に設けられている光源プローブ２とを備えており、前記光源プローブ２はその先端に設けられているレンズ２０１と、レンズ２０１内側に設けられているＬＥＤ光源２０２とを備えており、前記レンズ２０１の外側面にはＬＥＤ光源２０２を制御するための接触型センサ２０３が設けられている。光源プローブ２の先端のレンズ２０１が接触すると、レンズ２０１上の接触型センサ２０３がＬＥＤ光源２０２を点灯するように制御する。ＬＥＤ光源２０２は好ましくは赤色ＬＥＤ光源とされる。
【００２０】
手持ち型乳腺検査器は、検査器本体１内に設けられ、接触型センサ２０３およびＬＥＤ光源２０２がそれぞれ接続されているプロセッサモジュール１０１をさらに備えている。
【００２１】
本考案の手持ち型乳腺検査器における好ましい実施例において、手持ち型乳腺検査器は、検査器本体１の後端に設けられ、プロセッサモジュール１０１に接続されている電源モジュール３をさらに備えている。電源モジュール３は蓄電装置３０１と、充電器に接続するための充電ソケットが設けられている充電装置３０２とを備えている。対応するように、検査器本体１の後端には開口と、開口に一致するエンドキャップ３０３とがさらに設けられており、開口は充電ソケットに対応して設けられている。当該検査器は繰り返し充電で使用することができるものであって、これに対応するように充電用のアダプタまたはケーブルが配設され、アダプタまたはケーブルの一端は電源（商用電源のコンセントでよく、または例えばＵＳＢポートといったケーブルのソケットでもよい）に挿入され、他端は開口を貫通して充電ソケットに挿入される。
【００２２】
検査器本体１の外側面にはプロセッサモジュール１０１に接続されているコントロールボタン１０２がさらに設けられている。コントロールボタン１０２はスイッチボタンとＬＥＤ光源光強度調節ボタンとを備えている。一般的には、スイッチボタンを押下して当該検査器を起動した後、レンズ２０１を乳房表面に密着させると、ＬＥＤ光源は最大輝度にて点灯し、乳房が瞬間的に照明されるわけであるが、このうち、乳房内の静脈またはその他血管の輪郭が黒い線状または網状模様として現れる。もし光が強すぎると感じたときには、ＬＥＤ光源の光強度調節ボタンで光強度を調節することができる。
【００２３】
また、検査器本体１の外側面にはプロセッサモジュール１０１に接続されているディスプレイ１０３が設けられており、ディスプレイに表示される項目にはＬＥＤ光源２０２の光強度レベル、蓄電量および前回の検査日が含まれるので、光強度、蓄電量などを把握しやすく、さらに重要なことは、前回検査日が表示されることで、使用者に定期検査の好ましい習慣を養うのに助けとなるということである。
【００２４】
検査器本体の外側面には、使用者が乳腺検査器を把持するのに便利となるよう滑り止めラバーとすることができる滑り止め１０４が設けられている。
【００２５】
好ましくは、光源プローブ２は検査時に密着させやすくするために、一方側に角度をもって湾曲している。
【００２６】
一般的には暗い環境で当該検査器を使用したときに顕著な効果が得られる。また、観察しやすくするために、検査時は鏡の前に立つことで、鏡を通して自分の乳房をより見やすくすることができる。
【００２７】
検査時には、レンズを乳房表面でより滑らかに動かすために、潤滑液を使用することができるが、潤滑液は水性潤滑液が好ましい。油性潤滑液では検査器が損傷する恐れがある。
【００２８】
使用に際して、手持ち型乳腺検査器を把持し、光源プローブを乳房の下方に置き、その後先端のレンズを乳房の表面に密着させて、ＬＥＤ光源が瞬間的に最大強度で点灯すると同時に、乳房が照明されるわけであるが、このうち、乳房内の静脈またはその他血管の輪郭が黒い線状または網状模様として現れる。検査時は、一方の手で乳房を握り、他方の手で検査器を持ってゆっくりと移動させることで、乳房のあらゆる位置を検査中に観察することができる。移動中には検査器を常に乳房の表面に密着させるわけであるが、乳房組織は脇の下まで伸びていることから、検査時にこの部位まで検査できるようにするには、腕を上げて検査する必要がある。
【００２９】
注意すべきは、当該検査器は家庭での検査用であって、乳腺のＸ線撮像検査技術の代用品にはならないということである。乳房に何らかの異常な影または斑点が見られたときには、使用者は早めに医療機関で専門的な検査を受けて、適時の確認または治療を受けるよう勧める。また、ＬＥＤ光源の光は正常な組織のみを通過する一方で、例えば充血した腫瘍および乳腺の異物は透過しない。
【００３０】
本考案は具体的な実施例で説明を行ったが、当業者であれば、本考案の範囲を逸脱することなく、本考案に各種変更および同等の置換が可能であるということ明らかなはずである。また、特定の状況または材料について、本考案に各種修正を行うことが可能で、本考案の範囲から逸脱することはない。よって、本考案は開示されている具体的な実施例に限定されることなく、本考案の実用新案登録請求の範囲内に収まる全ての実施形態が含まれるべきである。
【符号の説明】
【００３１】
１ 検査器本体
２ 光源プローブ
３ 電源モジュール
１０１ プロセッサモジュール
１０２ コントロールボタン
１０３ ディスプレイ
１０４ 滑り止め
２０１ レンズ
２０２ ＬＥＤ光源
２０３ 接触型センサ
３０１ 蓄電装置
３０２ 充電装置
３０３ エンドキャップ
【図１】
0003180406.tif 000003
【図２】
0003180406.tif 000004
【図３】
0003180406.tif 000005